(57)【要約】　　　（修正有）【課題】省資源に対応できる。【解決手段】第１壁掛け飾り１３の平面形状より大きい板状に形成され、第１壁掛け飾り１３の包装にあたって第１壁掛け飾り１３に沿って配置され、第１壁掛け飾り１３の破損を防止する壁掛け飾り用台紙であって、シート１１と、シート１１に固定されてシート１１を支持する複数のひご１２からなり、第１壁掛け飾り１３の裏側に配置されて、第１壁掛け飾り１３と一体的に壁掛け飾り１６として使用可能なことを特徴とする。【選択図】図１
0003099505.tif 000002
【実用新案登録請求の範囲】
【請求項１】
　第１壁掛け飾りの平面形状より大きい板状に形成され、該第１壁掛け飾りの包装にあたって該第１壁掛け飾りに沿って配置され、該第１壁掛け飾りの破損を防止する壁掛け飾り用台紙であって、
　シートと、該シートに固定されて該シートを支持する複数のひごからなり、前記第１壁掛け飾りの裏側に配置されて、該第１壁掛け飾りと一体的に壁掛け飾りとして使用可能なことを特徴とする壁掛け飾り用台紙。
【請求項２】
　複数枚のシートが複数のひごによって連結されて形成されることを特徴とする請求項１記載の壁掛け飾り用台紙。
【請求項３】
　前記複数枚のシートは、間隔を空けて配置されることを特徴とする請求項２記載の壁掛け飾り用台紙。
【請求項４】
　ひごが、横ひご、縦ひごを含み、横ひごと縦ひごとが枠状をなしていることを特徴とする請求項１〜３のうちのいずれか一項記載の壁掛け飾り用台紙。
【請求項５】
　前記ひごが表側に露出することを特徴とする請求項１〜４のうちのいずれか一項記載の壁掛け飾り用台紙。
【請求項６】
　前記シートは、和紙からなることを特徴とする請求項１〜５のうちのいずれか一項記載の壁掛け飾り用台紙。
【請求項７】
　前記シートは、布からなることを特徴とする請求項１〜６のうちのいずれか一項記載の壁掛け飾り用台紙。
【請求項８】
　前記シートには、前記第１壁掛け飾りを取りつけるための取付用穴が設けられていることを特徴とする請求項１〜７のうちのいずれか一項記載の壁掛け飾り用台紙。
【請求項９】
　請求項１〜８のうちのいずれか一項記載の壁掛け飾り用台紙に沿うように前記第１壁掛け飾りが配置されて形成されることを特徴とする壁掛け飾り。
【考案の詳細な説明】
【技術分野】
【０００１】
　本考案は、壁掛け飾り用台紙及びこれを用いた壁掛け飾りに関するものである。
【背景技術】
【０００２】
　従来、正月用しめ飾り等の壁掛け飾りが様々に知られている。例えば、図５に示す正月用しめ飾り２０は、水引等で形成された立体的な複数の飾り物２１がしめ縄２２に固定されて形成されたものである。
　飾り物２１は形が崩れやすいので、壁掛け飾り２０は、商品として流通、販売する場合、一般に図７に示されるように壁掛け飾り２０の平面形状より大きい台紙２３が沿わされた状態で包装される。壁掛け飾り２０は、その表側が透明な包装用袋２４を通して見えるように、裏側に台紙２３が当てられ、包装用袋２４内で台紙２３と共にガタつかないように包装される。こうして包装された壁掛け飾り２０は、台紙２３によって支持され、折れ等の破損が防止されて、その形を崩すことなく流通、販売される。　
【０００３】
　最近は、省資源に対応すべく包装は簡略化される傾向があり、その他に使い道もなく、壁掛け飾りを使用する際には廃棄処分されてしまう台紙２３のようなものは省略される方向にある。しかしながら、立体的な壁掛け飾りは、前述したように形が崩れやすいので、台紙２３を省略することは難しい。
【考案の開示】
【考案が解決しようとする課題】
【０００４】
　本考案が解決しようとする問題点は、台紙は省くことが難しいが、その他に使い道がないので壁掛け飾りを使用する際には廃棄処分され、省資源に対応できない点である。
【課題を解決するための手段】
【０００５】
　本考案は、第１壁掛け飾りの平面形状より大きい板状に形成され、該第１壁掛け飾りの包装にあたって該第１壁掛け飾りに沿って配置され、該第１壁掛け飾りの破損を防止する壁掛け飾り用台紙であって、シートと、該シートに固定されて該シートを支持する複数のひごからなり、前記第１壁掛け飾りの裏側に配置されて、該第１壁掛け飾りと一体的に壁掛け飾りとして使用可能なことを特徴とする。
【０００６】
　また、本考案は、複数枚のシートが複数のひごによって連結されて形成されることを特徴とする。
　また、前記複数枚のシートは、間隔を空けて配置されることを特徴とする。
　また、ひごが、横ひご、縦ひごを含み、横ひごと縦ひごとが枠状をなしていることを特徴とする。
　また、前記ひごが表側に露出することを特徴とする。
　また、前記シートは、和紙からなることを特徴とする。
【０００７】
　また、前記シートは、布からなることを特徴とする。
　また、前記シートには、前記第１壁掛け飾りを取りつけるための取付用穴が設けられていることを特徴とする。
　また、本考案の壁掛け飾りは、前記壁掛け飾り用台紙に沿うように前記第１壁掛け飾りが配置されて形成されることを特徴とする。
【考案の効果】
【０００８】
　本考案の壁掛け飾り用台紙は、第１壁掛け飾りと一緒に包装される際には、第１壁掛け飾りを支持してその形状を保持する働きをなし、さらに、第１壁掛け飾りと一体化されて壁掛け飾りとしても利用できる。このとき、壁掛け飾り用台紙は、シートをひごによって支持させる構成なので、シートとして様々な材料を使用することができ、様々な態様の壁掛け飾りを形成することができる。
【考案を実施するための最良の形態】
【０００９】
　以下、本考案にかかる好適な実施の形態を添付図面と共に詳細に説明する。
　本考案による壁掛け飾り用台紙１０は、シート１１を、シート１１の裏面に固定した複数本のひご１２によって支持させることにより板状に形成したものである。
　壁掛け飾り用台紙１０を板状に形成するためには、壁掛け飾り用台紙１０の外形を形成するように枠状に配置されるひご１２ｂと、その枠内に配置されるひご１２ｃとによってシート１１を支持させると良い。
　このような構成を採用することにより、本考案による壁掛け飾り用台紙１０は、第１壁掛け飾りと共に包装される際には、従来の台紙と同様に第１壁掛け飾り１３を支持して、折れ等の破損を防止し、さらに第１壁掛け飾り１３を使用する際には、第１壁掛け飾り１３と一体化されて壁掛け飾りとして壁に掛けられて使用可能としたものである。
【００１０】
　ここで第１壁掛け飾り１３とは、単独で壁掛け飾りとして使用可能なものである。具体的には、図５で示した水引等で形成された立体的な複数の飾り物２１がしめ縄２２に固定されて形成された正月用しめ飾り２０や、草花、造花等からなるリング状のリース、複数の飾り物が固定されたクリスマスツリー等様々に挙げられる。　
【００１１】
　本考案による壁掛け飾り用台紙１０について詳しく説明する。図１は、本考案による壁掛け飾り用台紙を用いた壁掛け飾りの一実施形態を示す正面図である。図２は、本考案による壁掛け飾り用台紙の正面図であり、図３はその背面図である。図４は、本考案による壁掛け飾り用台紙の、他の実施形態の正面図である。
【００１２】
　使用されるひご１２は、竹を棒状に細く割って削った通常のもので、シート１１の裏面に接着剤等により固着される。
　シート１１は、紙や布等からなり、ひご１２によって支持されるので厚紙のように強度を有するものでなくてもよく、むしろ比較的薄いものが好適である。また、後に第１壁掛け飾り１３と一体的に壁に飾られて使用されることを考慮して、表面に第１壁掛け飾り１３と調和する色彩や地模様、しぼ等を有して装飾性の高いものが適している。この点で和紙は好適である。
【００１３】
　また、壁掛け飾り用台紙１０は、１枚のシート１１の裏面に複数のひご１２が固定されて形成されてもよいが、複数枚のシート１１を、その裏面に固定される複数本のひご１２によって連結し支持する構成であってもよい。
　例えば、間隔を空けて横に平行に並べた複数のシート１１を、壁掛け飾り用台紙の外形を形成するように枠状に配置したひご１２ｂと、その枠内で間隔を空けて縦に平行に並べた複数のひご１２ｃとによって連結、支持させて板状の壁掛け飾り用台紙１０としてもよい。
　或いは、間隔を空けて縦に平行に並べた複数のシート１１を、壁掛け飾り用台紙の外形を形成するように枠状に配置したひご１２ｂと、その枠内で間隔を空けて横に平行に並べた複数のひご１２ｃとによって連結、支持させて壁掛け飾り用台紙１０としてもよい。
【００１４】
　図２に示す壁掛け飾り用台紙１０では、長方形の和紙からなる３枚のシート１１ｃ、１１ｄ、１１ｅが、間隔を空けて横に平行に並べて配設されている。そして、壁掛け飾り用台紙１０の外形を形成するように配置された４本のひご１２ｂ（点線で示す）と、４本のひご１２ｂによって形成される長方形の枠内で、等間隔空けて縦に平行に並べられた７本のひご１２ｃとによって、３枚のシート１１ｃ、１１ｄ、１１ｅが連結、支持されている。これにより壁掛け飾り用台紙１０は、縦に長い長方形の板状に形成される。
　壁掛け飾り用台紙１０の裏側の両側部１０ａでは（図３参照）、縦方向に配設された２本のひご１２ｂ、１２ｂを包むようにシート１１ｃ、１１ｅが折り返されて、接着剤により固定されている。また、同一形状からなる７本のひご１２ｃは、４本のひご１２ｂによって形成される枠内の幅方向にわたって延設されて、シート１１ｃ、１１ｄ、１１ｅに固着されている。
　つまりこの場合、ひごは、縦方向に延びるように配設される縦ひごと、横方向に延びるように配設される横ひごとから構成され、そのうちの４本のひごが枠状をなしていることとなる。
　また、３枚のシート１１ｃ、１１ｄ、１１ｅのうち、両側のシート１１ａ、１１ｅは同じ和紙からなり、中央のシート１１ｄはこれとは異なる和紙からなる。
【００１５】
　こうして、壁掛け飾り用台紙１０の表側は、装飾性の高い、地模様、色彩等の施された和紙からなるシート１１の表面と、シート１１の間隔から部分的に露出するひご１２によって構成される。
　さらに、３枚のシート１１のうち、中央に配置されるシート１１ｄに、複数の貫通する取付用穴１４を等間隔空けながら縦に１列に配設してもよい。取付用穴１４は、第１壁掛け飾り１３を壁掛け飾り用台紙１０に固定する際に使用するもので、無くてもよいし、その配設数も配設位置も限定されるものではない。
【００１６】
　図６は、図２に示した壁掛け飾り用台紙１０（取付用穴１４は省略されている）を用いて第１壁掛け飾り１３を包装した状態を示す概略図である。
　壁掛け飾り用台紙１０は、第１壁掛け飾り１３の平面形状より大きく形成される。そして、第１壁掛け飾り１３を包装する際には、第１壁掛け飾り１３の裏側に壁掛け飾り用台紙１０が沿うように配置され、その状態が保持されて包装用袋２４内でガタつかないように両者を包装用袋２４に入れて密閉する。このとき、第１壁掛け飾り１３が壁掛け飾り用台紙１０上からはみ出さないように包装されることは勿論である。
【００１７】
　また、包装用袋２４としては、第１壁掛け飾り１３の表側が透けて見えるような透明な袋が好ましい。さらに、壁掛け飾り用台紙１０は、その表側が第１壁掛け飾り１３側に向くように配置するとよい。
　壁掛け飾り用台紙１０は、ひご１２によってシート１１が支持されて、強度を有する板状に形成されているので、第１壁掛け飾り１３を支持してその破損を防止することができる。
【００１８】
　壁掛け飾り用台紙１０は、第１壁掛け飾り１３と共に壁に掛けられて使用することもできる。
　この際、第１壁掛け飾りに設けられた吊り下げひも１５（図５参照）を、１個の取付用穴１４に通して固定することにより、第１壁掛け飾り１３を壁掛け飾り用台紙１０に沿わせた状態に簡単に固定できる。そして、壁掛け飾り用台紙１０の表側に第１壁掛け飾り１３の裏側が接するように配置する。
　こうして、第１壁掛け飾り１３と壁掛け飾り用台紙１０が一体化された壁掛け飾り１６が形成される（図１参照）。
【００１９】
　図１に示されるように壁掛け飾り１６は、壁掛け飾り用台紙１０が第１壁掛け飾り１３の背景となって、第１壁掛け飾り１３単独のときとは異なる風情を楽しむことができる。この際、複数枚のシート１１ｃ、１１ｄ、１１ｅを形成する和紙や布の組み合せによって様々な背景を作ることができる。
　また、複数のシート１１の間隔から表側に部分的に露出する複数のひご１２によって、従来にない趣を醸し出すことができる。
　さらに、壁掛け飾り１６を壁に掛けた際には、ひご１２の間を通して壁が露出するので、奥行きを感じさせると共に、壁との調和を楽しむことができる。
【００２０】
　シートに複数の取付用穴１４を設けた場合には、第１壁掛け飾り１３の壁掛け飾り用台紙１０に対する固定位置を変えることができ、様々な態様を楽しむことができる。
　また、従来の台紙の材料は厚紙に限定されていたが、シートとして薄い布や紙等様々な材料が使用できるので、壁掛け飾り１６とした際にシートの様々な質感を楽しむことができる。
【００２１】
　以上、本考案につき好適な実施例を挙げて種々説明してきたが、本考案はこの実施例に限定されるものではなく、考案の精神を逸脱しない範囲内で多くの改変を施し得るのは勿論のことである。
　例えば、壁掛け飾り用台紙１０の平面形状を、図４に示されるように横に長い長方形状に形成してもよい。さらに、壁掛け飾り用台紙１０の平面形状は、このような矩形状に限定されず、円形、三角形等様々に変更可能である。
【００２２】
　また、シート１１の形状も長方形に限定されず、三角形、円形等様々に設計変更可能である。これに応じてひご１２の配置位置、配置方向も自由に変更される。
　さらに、ひご１２はシートの表面に接着されて、壁掛け飾りとして使用する際には、ひご１２が表側に積極的に露出するように配設されてもよい。または、壁掛け飾り用台紙１０をリバーシブルにして表側と裏側の両方が、壁掛け飾りの表側として使用できるように形成してもよい。これによると、一枚の壁掛け飾り用台紙１０を２通り楽しむことができる。
　また、壁掛け飾り用台紙は、ひごに支持されて強度があるので、この上に花瓶を載せて花台として使用することもできる。
【図面の簡単な説明】
【００２３】
【図１】本考案に係る壁掛け飾りの１実施形態を示す正面図である。
【図２】本考案に係る壁掛け飾り用台紙の正面図である。
【図３】図２に示した壁掛け飾り用台紙の背面図である。
【図４】本考案に係る壁掛け飾り用台紙の他の実施の形態の正面図である。
【図５】従来の壁掛け飾りの正面図である。
【図６】壁掛け飾り用台紙を用いて第１壁掛け飾りを包装した状態を示す概略図である。
【図７】従来の台紙を用いて壁掛け飾りを包装した状態を示す概略図である。
【符号の説明】
【００２４】
　１０　壁掛け飾り用台紙
　１１　シート
　１２　ひご
　１３　第１壁掛け飾り
　１４　取付用穴
　１５　吊り下げ紐
　１６　壁掛け飾り
　２０　しめ飾り
　２１　飾り物
　２２　しめ縄
　２３　台紙
　２４　包装用袋
【図１】
0003099505.tif 000003
【図２】
0003099505.tif 000004
【図３】
0003099505.tif 000005
【図４】
0003099505.tif 000006
【図５】
0003099505.tif 000007
【図６】
0003099505.tif 000008
【図７】
0003099505.tif 000009